(57)【特許請求の範囲】
【請求項１】
カメラ部と、前記カメラ部から送信された映像信号を記録する記録部とが互いに分離可能な撮像装置であって、
前記カメラ部と、前記記録部との間の通信において、前記記録部が通信制御の主導権を持つ第１のモードと、前記カメラ部が通信制御の主導権を持つ第２のモードとを切り替える切り替え手段を有し、
前記第１のモードの場合、前記カメラ部は、前記記録部へ映像信号と、第１の状態信号とを送信し、前記記録部は、前記カメラ部へ第１の命令信号を送信し、
前記第２のモードの場合、前記カメラ部は、前記記録部へ映像信号と、第２の命令信号とを送信し、前記記録部は、前記カメラ部へ第２の状態信号を送信する
ことを特徴とする撮像装置。
【請求項２】
前記記録部が前記カメラ部へ送信する信号のうち、前記第１の命令信号は、カメラ部の撮影条件又はカメラ部の動作を制御する信号であり、前記第２の状態信号は、バッテリの残容量又はバッテリの残記録容量を示す信号であることを特徴とする請求項１に記載の撮像装置。
【請求項３】
前記カメラ部は、表示手段を有し、
前記カメラ部は、前記第２の状態信号を前記表示手段によって表示することを特徴とする請求項１又は２に記載の撮像装置。
【請求項４】
前記記録部は、音声信号を入力する音声信号入力手段を有し、
前記カメラ部は、音声信号を出力する音声信号出力手段を有し、
前記第２のモードの場合、前記記録部は、前記音声信号入力手段によって入力された音声信号を前記第２の状態信号として前記カメラ部へ送信し、前記カメラ部は前記音声信号を前記音声信号出力手段によって出力することを特徴とする請求項１に記載の撮像装置。
【発明の詳細な説明】
【０００１】
【発明の属する技術分野】
本発明は、撮像装置に関するものである。
【０００２】
【従来の技術】
例えば、双方向無線通信により遠隔操作を可能とする通信制御システムを利用したビデオカメラがある。
このビデオカメラは、レンズ及び撮像素子等を有するカメラ部と、磁気テープや光ディスク等の記録媒体に上記カメラ部で得られた映像や音声を記録する記録部、又はモニタや操作スイッチを有する操作部というように、装置内の機能を分離して設け、各機能間で双方向無線通信を行うことにより、遠隔地の映像や音声を記録又はモニタすることを可能としたり、或いは、カメラ部のズーム、フォーカス、シャッタ速度等の撮影条件を遠隔地から操作することを可能としている。
特に、近年のディジタル技術や通信技術の進歩に伴って、高画質の映像伝送や、複雑な操作及び制御を遠隔地から行うことが可能となりつつある。
【０００３】
図６は、上述のようなビデオカメラ３０の構成を示したものである。
【０００４】
このビデオカメラ３０は、上記図６に示すように、カメラ部３００と記録部４００が分離して設けられており、カメラ部３００と記録部４００間で双方向無線通信を行うようになされている。
【０００５】
先ず、カメラ部３００において、図示していない被写体からの光束は、レンズ３０１を介して、電荷結合素子（ＣＣＤ：Charge Coupled Device ）等の撮像素子３０２上に結像される。
【０００６】
撮像素子３０２上に結像された被写体像は、光電変換され、電気信号としてＣＤＳ／ＡＧＣ（ＣＤＳ：Corelated Double Sampling ，ＡＧＣ：Automatic Gain Control）回路３０３に供給され、このＣＤＳ／ＡＧＣ回路３０３でサンプリングされ、電気的に増幅される。
【０００７】
ＣＤＳ／ＡＧＣ回路３０３の出力信号は、アナログ／ディジタル（Ａ／Ｄ）変換回路３０４でディジタル化され、カメラ信号処理回路３０５により、ガンマ補正、色分離、及び色差マトリクス等の処理が行われた後、同期信号が付加された標準テレビジョン信号としての映像信号に生成される。
【０００８】
カメラ信号処理回路３０５で生成された映像信号は、変調回路３２０により、後段に設けられた無線送信回路３２１に応じた変調処理が行われ、無線送信回路３２１により、アンテナ３０８から記録部４００に送信される。
【０００９】
次に、記録部４００において、上述のようにしてカメラ部３００から送信されてきた電波は、アンテナ４０１で受信され、無線受信回路４２０を介して復調回路４２１に供給される。
【００１０】
復調回路４２１は、無線受信回路４２０からの受信信号を映像信号に復調する。
【００１１】
復調回路４２１で得られた映像信号は、ディジタル／アナログ（Ｄ／Ａ）変換回路４０４でアナログ化された後、ミックス回路４０６により、後述する表示回路４０５の出力信号と合成されて、モニタ４０７で画面表示される。
【００１２】
また、Ｄ／Ａ変換回路４０４でアナログ化された映像信号は、レコーダ信号処理回路４０８で所定の処理が行われ、電磁変換回路４０９のより記録媒体４１０に記録される。
【００１３】
このとき、ＶＴＲ（Video Tape Recorder ）メカ４１２は、ＶＴＲメカマイクロコンピュータ（以下、マイクロコンピュータをマイコンと言う）４１１からの制御に従って、例えば、図示していないリールモータにより、映像信号が所定位置に記録されるように記録媒体４１０を駆動する。
【００１４】
ここで、上述した表示回路４０５は、記録部４００側の情報をモニタ４０７に表示するための情報信号を生成するものである。
この情報信号は、記録部バッテリ４１５のバッテリ残容量情報や、記録媒体４１０の残記録容量情報等の信号である。
【００１５】
そこで、マイコン４１３は、記録部バッテリ４１５の残容量を検出し、その結果得られたバッテリ残容量情報を表示回路４０５に供給する。
また、ＶＴＲメカマイコン４１１は、マイコン４１３からの制御に従って、ＶＴＲメカ４１２の上述したようなリールモータの回転速度等から記録媒体４１０の残記録容量を検出し、その結果得られた記録媒体４１０の残記録容量情報をマイコン４１３を介して表示回路４０５に供給する。
【００１６】
したがって、表示回路４０５は、上述のようにして得られたバッテリ残容量情報や残記録容量情報等を表示するための信号処理を行って情報信号を生成し、ミックス回路４０６は、表示回路４０５で生成された情報信号と、Ｄ／Ａ変換回路４０４からの映像信号とを合成する。
これにより、モニタ４０７には、カメラ部３００で撮影して得られた映像信号が画面表示されると共に、記録部バッテリ４１５のバッテリ残容量情報や、記録媒体４１０の残記録容量情報等の記録部４００側の情報も画面表示されることとなる。
【００１７】
上述のように、ビデオカメラ３０では、カメラ部３００で撮影して得られた映像信号が記録部４００に送信され、記録部４００で記録又はモニタされるようになされている。
【００１８】
このとき、カメラ部３００で撮影が行われる際のズーム、フォーカス、シャッタ速度等の撮影条件は、記録部４００側の操作により設定される。
【００１９】
すなわち、記録部４００において、記録部操作キー４１２を使用者が操作することにより、カメラ部３００の撮影条件が入力される。
記録部操作キー４１２の操作情報は、マイコン４１３により読み出され、無線送信回路４２２により、アンテナ４０１を介してカメラ部３００に送信される。
【００２０】
カメラ部３００においては、記録部４００から送信されてきた電波をアンテナ３０８で受信し、その受信信号が無線受信回路３２２を介してマイコン３０９に供給される。
したがって、マイコン３０９は、無線受信回路３２２からの受信信号、すなわち記録部４００に入力されたカメラ３００に対する操作情報に基づいて、レンズ３０１を制御するレンズ制御回路３１０や、カメラ信号処理回路３０５に制御信号を供給する。
これにより、レンズ３０１のズーム、フォーカス、シャッタ速度等が可変動作し、その動作に応じた信号処理がカメラ信号処理回路３０５で行われることとなる。
【００２１】
上述のように、このビデオカメラ３０は、記録部４００からの操作によって、カメラ部３００の撮影条件を制御可能なものとしている。
【００２２】
【発明が解決しようとする課題】
しかしながら、上述のようなビデオカメラ３０は、カメラ部３００側を遠隔地に設置しての使用を主として考えられており、例えば、使用者がカメラ部３００を持って撮影を行う場合、以下のような問題点があった。
【００２３】
すなわち、ビデオカメラ３０は、記録部４００側のみが通信制御の主導権を持つ構成としているため、記録部４００側における録画開始及び停止等の操作をカメラ部３００側から行うことができなかった。このため、カメラ部３００のみでは、使用者の意図する撮影を行うことができなかった。仮に、使用者の意図する撮影を行おうとすると、使用者は、カメラ部３００と記録部３００の両方を持って、記録部３００で録画開始及び停止、或いはカメラ部３００の撮影条件の設定のための操作を行いながら、カメラ部４００で撮影する必要がある。これは、非常に面倒であるのは言うまでもない。
また、記録部４００のバッテリ残容量や残記録容量等、記録部４００の動作状態をカメラ部４００から把握することができなかった。このため、例えば、記録部４００のバッテリ切れ等によって、使用者の予期せぬうちに撮影不能となる場合があった。
【００２４】
上述のように、ビデオカメラ３０のような従来の通信制御システムを適用した撮像装置は、通信制御の主導権を持つ側（主導側）が固定されているため、主導側から制御される側（従属側）は、主導側の動作状態を把握することができず、また、主導側からの制御でしか動作することができなかった。このため、非常に操作性の悪く、装置の性能も悪いものとなっていた。
【００２５】
そこで、本発明は、操作性及び装置性能を向上させた撮像装置を提供することを目的とする。
【００２６】
【課題を解決するための手段】
上記の目的を達成するために、本発明は、カメラ部と、前記カメラ部から送信された映像信号を記録する記録部とが互いに分離可能な撮像装置であって、前記カメラ部と、前記記録部との間の通信において、前記記録部が通信制御の主導権を持つ第１のモードと、前記カメラ部が通信制御の主導権を持つ第２のモードとを切り替える切り替え手段を有し、前記第１のモードの場合、前記カメラ部は、前記記録部へ映像信号と、第１の状態信号とを送信し、前記記録部は、前記カメラ部へ第１の命令信号を送信し、前記第２のモードの場合、前記カメラ部は、前記記録部へ映像信号と、第２の命令信号とを送信し、前記記録部は、前記カメラ部へ第２の状態信号を送信することを特徴とする。
【００２７】
【作用】
本発明によれば、切り換え手段は、カメラ部と、記録部との間の通信において、前記記録部が通信制御の主導権を持つ第１のモードと、前記カメラ部が通信制御の主導権を持つ第２のモードとを切り替える。この切り換え手段の切り換えにより、前記記録部が通信制御の主導権を持っている場合、前記カメラ部は、前記記録部へ映像信号と、第１の状態信号とを送信し、前記記録部は、前記カメラ部へ第１の命令信号を送信する。また、この切り換え手段の切り換えにより、前記カメラ部が通信制御の主導権を持っている場合、前記カメラ部は、前記記録部へ映像信号と、第２の命令信号とを送信し、前記記録部は、前記カメラ部へ第２の状態信号を送信する。つまり、主導側と従属側との関係を自在に逆転させることができ、送信側からでも受信側の動作を制御することができると共に、受信側からでも送信側の動作を制御することができる。よって、例えば、記録部が主導権を持つときは、操作者は記録部からカメラ部を遠隔指示でき、カメラ部が主導権を持つときは、操作者はカメラ部を直接操作する際に、離れたところからでも記録部の状態を知ることができるので、操作性及び装置性能を向上させた撮像装置を提供することができる。
【００２８】
【発明の実施の形態】
以下、本発明の実施の形態について図面を用いて説明する。
【００２９】
まず、第１の実施の形態について説明する。
【００３０】
本発明に係る通信制御システムは、例えば、図１に示すようなビデオカメラ１０に適用される。
また、このビデオカメラ１０は、本発明に係る撮像装置を適用したものである。
【００３１】
すなわち、ビデオカメラ１０は、上記図１に示すように、図示していない被写体を撮影する機能を有するカメラ部１００と、カメラ部１００で撮影して得られた映像信号を記録する機能を有する記録部２００とが分離して設けられており、カメラ部１００と記録部２００間で双方向に無線通信するようになされている。
【００３２】
カメラ部１００は、図示していない被写体からの光束がレンズ１０１を介して供給される撮像素子１０２と、撮像素子１０２の出力が供給されるＣＤＳ／ＡＧＣ回路１０３と、ＣＤＳ／ＡＧＣ回路１０３の出力が供給されるＡ／Ｄ変換回路１０４と、Ａ／Ｄ変換回路１０４の出力が供給されるカメラ信号処理回路１０５と、カメラ信号処理回路１０５の出力が供給される通信制御回路１０６と、通信制御回路１０６と各々接続された無線送受信回路１０７及びマイコン１０９と、無線送受信回路１０７と接続されたアンテナ１０８と、マイコン１０９の出力が各々供給されるレンズ制御回路１１０及び表示器１１１と、マイコン１０９に接続された通信主導権切換スイッチ１１３と、カメラ部操作キー１１２とを備えており、カメラ部操作キー１１２の出力はマイコン１０９に供給され、マイコン１０９の出力は無線送受信回路１０７にも供給されるようになされている。
【００３３】
一方、記録部２００は、アンテナ２０１に接続された無線送受信回路２０２と、無線送受信回路２０２と接続された通信制御回路２０２と、通信制御回路２０２の出力が供給されるＤ／Ａ変換回路２０４と、表示回路２０５と、表示回路２０５及びＤ／Ａ変換回路２０４の各出力が供給されるミックス回路２０６と、ミックス回路１０６の出力が供給されるモニタ２０７と、Ｄ／Ａ変換回路２０４の出力が供給されるレコーダ信号処理回路２０８と、レコーダ信号処理回路２０８の出力が供給される電磁変換回路２０９と、電磁変換回路２０９の出力が供給される記録媒体２１０とを備えている。
また、記録部２００は、通信制御回路２０２と接続されたマイコン２１３と、マイコン２１３と接続されたＶＴＲメカマイコン２１１と、ＶＴＲメカマイコン２１１と接続されたＶＴＲメカ２１２と、マイコン２１３に接続された通信主導権切換スイッチ２１６と、記録部操作キー２１４と、記録部バッテリ２１５とを備えており、記録部操作キー２１４及び記録部バッテリ２１５の各出力はマイコン２１３に、マイコン２１３の出力は表示回路２０５に、ＶＴＲメカ２１２の出力は記録媒体２１０に各々供給されるようになされている。
【００３４】
まず、上述のようなビデオカメラ１０の一連の動作について説明する。
【００３５】
例えば、カメラ部１００を記録部２００に対して遠隔地に設置し、カメラ部１００の撮影操作を記録部２００側から行う場合について説明する。
【００３６】
ここで、カメラ部１００の通信主導権切換スイッチ１１３及び記録部２００の通信主導権切換スイッチ２１６は、カメラ部１００と記録部２００のうち通信制御の主導権を持つ側を指示するためのものである。
これらの通信主導権切換スイッチ１１３及び２１６は、例えば、自動でスイッチ切り換えが行われるようになされており、一方のスイッチが切り換えられると、他方のスイッチは、マイコンの制御により上記一方のスイッチの切り換え状態に応じて、切り換えられるようになされている。
【００３７】
そこで、例えば、記録部２００の通信主導権切換スイッチ２１６の切り換えにより、記録部２００が、カメラ部１００と記録部２００間の通信制御の主導権を持つ側（主導側）に設定されると、通信主導権切換スイッチ２１６の切換状態の情報は、マイコン２１３の制御によりカメラ部１００に送信される。
カメラ部１００では、記録部２００からの切換状態情報に従ったマイコン１０９の制御により、通信主導権切換スイッチ１１３が切り換えられ、カメラ部１００が、主導側である記録部２００から動作制御される側（従属側）となるように設定される。
【００３８】
尚、カメラ部１００の通信主導権切換スイッチ１１３及び記録部２００の通信主導権切換スイッチ２１６は、例えば、スライドスイッチからなり、手動でも切り換えることができるようになされている。
【００３９】
上述のようにして、カメラ部１００が従属側、記録部２００が主導側に設定された場合、先ず、カメラ部１００において、図示していない被写体からの光束は、レンズ１０１を介して、撮像素子１０２に対して出射される。
【００４０】
撮像素子１０２は、例えば、ＣＣＤからなり、レンズ１０１の出射光は、この撮像素子１０２上に結像され、光電変換され、電気信号となってＣＤＳ／ＡＧＣ回路１０３に供給される。
【００４１】
ＣＤＳ／ＡＧＣ回路１０３は、撮像素子１０２からの電気信号にサンプリングを行い、電気的に増幅して出力する。
【００４２】
Ａ／Ｄ変換回路１０４は、ＣＤＳ／ＡＧＣ回路１０３の出力信号をディジタル化してカメラ信号処理回路１０５に供給する。
【００４３】
カメラ信号処理回路１０５は、Ａ／Ｄ変換回路３０４からの信号に、ガンマ補正、色分離、及び色差マトリクス等の処理を行い、同期信号を付加した標準テレビジョン信号としての映像信号を生成して通信制御回路１０６に供給する。
【００４４】
通信制御回路１０６には、カメラ信号処理回路１０５からの映像信号の他に、図示していないマイクロフォン（マイク）により集音されて得られた音声信号や、マイコン１０９からの後述するカメラ部１００内の状態信号も供給される。
【００４５】
通信制御回路１０６は、所定のディジタル信号処理方式に従って、供給された映像信号、音声信号及び状態信号を時間的に順序よく並べると同時に、この並べた各信号が所定の時間内に納まるように、時間的圧縮処理を行って、記録部２００に無線送信するための送信信号を生成する。
【００４６】
無線送受信回路１０７は、通信制御回路１０６で生成された送信信号を、空間伝搬が可能な高い周波数の信号である所謂電波に変換し、その電波をアンテナ１０８により空間に放射する。
【００４７】
次に、記録部２００において、カメラ部１００から放射された電波は、アンテナ２０１で受信される。
【００４８】
無線送受信回路２０２は、アンテナ２０１で受信された電波を受信信号に変換して通信制御回路２０３に供給する。
【００４９】
通信制御回路２０３は、無線送受信回路２０２からの受信信号を、映像信号、音声信号及び状態信号に分離する。
そして、通信制御回路２０３は、映像信号及び音声信号に時間的伸張処理を行ってＤ／Ａ変換回路２０４に供給すると共に、状態信号をマイコン２１３に供給する。
【００５０】
Ｄ／Ａ変換回路２０４は、通信制御回路２０３からの映像信号及び音声信号をアナログ化して、アナログ化した映像信号をミックス回路２０６に供給すると共に、例えば、アナログ化した音声信号を図示していないスピーカにも供給する。
また、Ｄ／Ａ変換回路２０４は、アナログ化した映像信号及び音声信号をレコーダ信号処理回路２０８に供給する。
【００５１】
ミックス回路２０６には、Ｄ／Ａ変換回路２０４からの映像信号の他に、後述する表示回路２０５からの出力信号も供給されており、ミックス回路２０６は、供給された各信号を合成してモニタ２０７に供給する。
【００５２】
したがって、モニタ２０７には、Ｄ／Ａ変換回路２０４でアナログ化された映像信号、すなわちカメラ部１００で撮影して得られた映像信号と、表示回路２０５の出力信号とが合成された信号が画面表示される。
また、例えば、上述したスピーカからは、モニタ２０７の画面表示に対応した音声が出力される。
【００５３】
一方、レコーダ信号処理回路２０８は、Ｄ／Ａ変換回路２０４からの映像信号及び音声信号に所定の処理を行って電磁変換回路２０９に供給する。
【００５４】
このとき、ＶＴＲメカ２１２は、ＶＴＲメカマイコン２１１からの制御に従って、例えば、図示していないリールモータにより、映像信号及び音声信号が所定位置に記録されるように記録媒体２１０を駆動する。
【００５５】
したがって、記録媒体２１０には、電磁変換回路２０９により、レコーダ信号処理回路２０８で所定の処理が行われた映像信号及び音声信号が所定位置に記録される。
【００５６】
ここで、上述した表示回路２０５は、カメラ部１００側及び記録部２００側の各情報をモニタ２０７に表示するための情報信号を生成するものである。
この情報信号は、記録部バッテリ２１５のバッテリ残容量情報や、記録媒体２１０の残記録容量情報等であると共に、通信制御回路２０３で分離して得られた状態信号の一部の情報でもある。
【００５７】
そこで、マイコン２１３は、例えば、記録部バッテリ２１５の残容量を検出し、その結果得られたバッテリ残容量情報を表示回路２０５に供給すると共に、通信制御回路２０３で分離して得られた状態信号、すなわちカメラ部１００の各回路の状態を示す情報のうち表示する任意の情報（以下、カメラ部状態情報と言う）を表示回路２０５に供給する。
また、ＶＴＲメカマイコン２１１は、マイコン２１３からの制御に従って、例えば、ＶＴＲメカ２１２の上述したようなリールモータの回転速度等から記録媒体２１０の残記録容量を検出し、その結果得られた記録媒体２１０の残記録容量情報をマイコン２１３を介して表示回路２０５に供給する。
【００５８】
そして、表示回路２０５は、マイコン２１３からのバッテリ残容量情報と残記録容量情報（以下、記録部状態情報と言う）、及びカメラ部状態情報を表示するための信号処理行い、状態表示信号を生成する。
【００５９】
この表示回路２０５で得られた状態表示信号は、ミックス回路２０６により映像信号と合成され、その合成信号がモニタ２０７に画面表示される。
【００６０】
したがって、モニタ２０７には、カメラ部１００で撮影して得られた映像信号が画面表示されると共に、その画面に合成されて、カメラ部１００及び記録部２００の各状態も表示されることとなる。
【００６１】
上述のようにして、カメラ部１００と記録部２００の両方の状態をモニタ２０７で画面表示することにより、記録部２００側の使用者は、記録部２００の状態を容易に把握できると共に、遠隔地に設置されたカメラ部１００の状態も容易に把握することができる。
【００６２】
次に、記録部２００において、カメラ部１００のズーム、フォーカス、シャッタ速度等の撮影条件を制御する場合、先ず、使用者が記録部操作キー２１４を操作することにより、カメラ部１００の撮影条件等が入力される。
この記録部操作キー２１４の操作情報は、マイコン２１３により読み出され、通信制御回路２０３に供給される。
【００６３】
通信制御回路２０３は、マイコン２１３からの操作情報から命令信号を生成する。
この命令信号は、撮影条件の情報の他に、カメラ部１００との通信開始を示す接続開始命令情報、カメラ部１００との通信切断を示す通信切断命令情報等、通信に必要な各種の通信情報からなる信号である。
このような命令信号は、無線送受信回路２０２に供給される。
【００６４】
無線送受信回路２０２は、通信制御回路２０３からの命令信号を、空間伝搬が可能な高い周波数の信号である所謂電波に変換し、その電波をアンテナ２０１により空間に放射する。
【００６５】
このとき、通信制御回路２０３は、マイコン２１３からの制御に従うことにより、カメラ部１００が上述したような送信状態である場合においても、カメラ部１００から送信されてくる信号、すなわちアンテナ２０１で受信されるカメラ部１００からの受信信号と、上述のようにしてアンテナ２０１から送信する命令信号等の送信信号とが時間的にぶつかって損失することがないように、記録部２００における送受信信号の制御を行う。
このような制御により、記録部２００は、カメラ部１００から送信されてくる信号を確実に受信すると共に、カメラ部１００に対して送信する信号も確実に送信するようになされている。
【００６６】
次に、カメラ部１００において、記録部２００からの電波は、アンテナ１０８で受信され、無線送受信回路１０７を介して通信制御回路１０６に供給される。
【００６７】
通信制御回路１０６は、無線送受信回路１０７からの受信信号を命令信号としてマイコン１０９に供給する。
【００６８】
マイコン１０９は、通信制御回路１０６からの命令信号に含まれる操作情報、すなわち記録部２００の記録部操作キー２１４で入力された撮影条件の情報に基づいて、レンズ制御回路１１０やカメラ信号処理回路１０５に制御信号を供給する。
また、マイコン１０９は、通信制御回路１０６からの命令信号に含まれる各種の通信情報に従って、カメラ部１００全体の動作も制御する。例えば、マイコン１０９は、通信制御回路１０６からの命令信号に含まれる各種の情報に基づいた応答信号を記録部２００に対して送信するように、通信制御回路１０６等を制御する。
【００６９】
尚、命令信号や応答信号の送受信タイミング等の通信動作については後述する。
【００７０】
レンズ制御回路１１０は、マイコン１０９からの制御信号に従って、レンズ１０１を制御し、カメラ信号処理回路１０５も、マイコン１０９からの制御信号に従った信号処理を行う。
これにより、レンズ１０１のズーム、フォーカス、シャッタ速度等が可変動作し、その動作に応じた最適な信号処理がカメラ信号処理回路１０５で行われる。
【００７１】
上述のように、カメラ部１００の撮影操作等を記録部２００側から行う場合には、記録部２００の通信主導権切換スイッチ２１６の切り換えにより、記録部２００側が通信制御の主導権を持ち、カメラ部１００が従属側となるように自動設定され、記録部２００からカメラ部１００に上述したような命令信号を送信することにより、記録部２００側からの操作によってカメラ部１００の撮影条件等の制御が行えるような構成としている。
また、記録部２００及びカメラ部１００は、各々、受信と送信を時間的に分割して、瞬時に切り換えながら行うようにすることにより、受信信号と送信信号が時間的にぶつかって損失することを防ぐような構成としている。
【００７２】
また、例えば、使用者がカメラ部１００を持って撮影する場合について説明する。
【００７３】
この場合には、上述のような主導側と従属側の関係を逆転させる必要があるため、カメラ部１００の通信主導権切換スイッチ１１３、及び記録部２００の通信主導権切換スイッチ２１６を切り換えることにより、カメラ部１００を主導側に、記録部２００を従属側に設定する。
【００７４】
尚、主導側と従属側の関係が逆転した場合でも、上述した撮影操作を記録部２００側より行う場合と同様に、カメラ部１００で撮影して得られた映像信号や音声信号等は記録部２００に送信され記録や画面表示が行われるため、以下の説明においては、その詳細な説明を省略する。
【００７５】
そこで、上述のようにして主導側と従属側の関係を逆転させ通信を開始する際、先ず最初に、カメラ部１００は、マイコン１０９の制御により、記録部２００との通信開始を示す接続開始命令信号を記録部２００に対して送信する。
この接続開始命令信号を受けた記録部２００は、マイコン２１３の制御により、上記接続開始命令信号に対する応答信号をカメラ部１００に対して送信する。
【００７６】
そして、通信が開始されると、上述した撮影操作を記録部２００側より行う場合と同様にして、カメラ部１００で撮影して得られた映像信号や音声信号等は、記録部２００に送信される。
【００７７】
このとき、カメラ部１００において、使用者が録画を開始するために、カメラ部操作キー１１２上に設けられた図示していない録画ボタンが押下されると、その操作情報は、マイコン１０９により読み出され、通信制御回路１０６に供給される。
【００７８】
通信制御回路１０６は、供給された操作情報から命令信号を生成し、上述した撮影操作を記録部２００側より行う場合と同様に、所定のディジタル信号処理方式に従って、映像信号及び音声信号等と共に、生成した命令信号を時間的に順序よく並べると同時に、この並べた各信号が所定の時間内に納まるように、時間的圧縮処理を行って、記録部２００に無線送信するための送信信号を生成する。
【００７９】
通信制御回路１０６で生成された送信信号は、無線送受信回路１０７で電波に変換されアンテナ１０８から空間に放射される。
【００８０】
次に、記録部２００においては、カメラ部１００から放射された電波がアンテナ２０１で受信され、無線送受信回路２０２を介して通信制御回路２０３に供給される。
【００８１】
通信制御回路２０３は、無線送受信回路２０２からの受信信号に含まれる命令信号を分離してマイコン２１３に供給する。
【００８２】
マイコン２１３は、通信制御回路２０３からの命令信号に従って、ＶＴＲメカマイコン２１１等に制御信号を供給し、ＶＴＲメカマイコン２１１は、マイコン２１３からの制御信号に従って、ＶＴＲメカ２１２を制御する。
【００８３】
これにより、記録媒体２１０は、ＶＴＲメカ２１２により駆動され、この記録部２００では、映像信号及び音声信号を記録媒体２１０に記録する録画動作が開始されることとなる。
【００８４】
また、記録部２００においては、記録部バッテリ２１５のバッテリ残容量情報や、記録媒体２１０の残記録容量等がマイコン２１３及びＶＴＲメカマイコン２１１により検出され、記録部２００の状態情報として、通信制御回路２０３に供給される。
【００８５】
通信制御回路２０３は、供給された状態情報を無線送受信回路２０２に供給すると共に、カメラ部１００から送信されてくる信号と時間的にぶつかって損失することのないように、所定の処理方式に従って時間的送信順序を定めて、記録部２００における送受信信号の制御を行う。
【００８６】
無線送受信回路２０２は、通信制御回路２０３からの状態情報を電波に変換してアンテナ２０１から空間に放射する。
【００８７】
そして、カメラ部１００において、記録部２００から送信されてきた電波は、アンテナ１０８で受信され、無線送受信回路１０７を介して通信制御回路１０６に供給される。
【００８８】
通信制御回路１０６は、無線送受信回路１０７からの受信信号に含まれる状態情報を分離してマイコン１０９に供給する。
【００８９】
マイコン１０９は、通信制御回路１０６からの状態情報、すなわち記録部２００の状態情報を表示器１１１に画面表示させる。
【００９０】
これにより、表示器１１１には、記録部２００のバッテリ残容量や残記録容量等の状態情報が画面表示される。
【００９１】
そして、カメラ部１００と記録部２００の通信を切断する場合、カメラ部１００は、記録部２００との通信切断を示す接続切断命令信号を記録部２００に対して送信する。
この接続切断命令信号を受けた記録部２００は、マイコン２１３の制御により、上記接続切断命令信号に対する応答信号をカメラ部１００に対して送信する。
【００９２】
上述のように、使用者がカメラ部１００側を持って撮影する場合には、カメラ部１００の通信主導権切換スイッチ１１３、及び記録部２００の通信主導権切換スイッチ２１６を切り換えることにより、カメラ部１００側が通信制御の主導権を持ち、記録部２００が従属側となるように設定し、カメラ部１００から記録部２００に上述したような命令信号を送信することにより、カメラ部１００側からの操作によって記録部２００の録画開始や停止等の動作制御が行えるような構成としている。
また、カメラ部１００の表示器１１１で、記録部２００のバッテリ残容量や残記録容量等の状態情報を画面表示することにより、記録部２００の状態をカメラ部１００から容易に把握するような構成としている。このため、例えば、記録部２００のバッテリ切れ等によって、使用者の予期せぬうちに撮影不能となることはない。
【００９３】
以上、説明したように、このビデオカメラ１００は、撮影操作を記録部２００側から行う場合でも、使用者がカメラ部１００を持って撮影する場合でも、不都合のない制御を行うことを可能としている。
【００９４】
つぎに、上記図１のビデオカメラ１０の通信動作を具体的に説明する。
【００９５】
ここで、図２は、撮影操作を記録部２００側から行う場合等、記録部２００が主導側の場合の通信動作を示すフローチャートであり、図３は、撮影操作をカメラ部１００側から行う場合等、カメラ部１００が主導側の場合の通信動作を示すフローチャートである。以下、これらの図２及び図３を用いて、ビデオカメラ１０の通信動作を説明する。
【００９６】
まず、記録部２００が主導側の場合、上記図２に示すように、先ず、カメラ部１００と記録部２００双方の電源が投入され（ステップＳ１０，Ｓ２０）、カメラ部１００の通信主導権切換スイッチ１１３、及び記録部２００の通信主導権切換スイッチ２１６により、記録部２００が主導側、カメラ部１００が従属側に設定される。
【００９７】
カメラ部１００は、通信主導権切換スイッチ１１３の状態を判断して従属側であることを認識し（ステップＳ２１）、受信待機状態となり、記録部２００から送信されてくる信号を待ち受ける（ステップＳ２２）。
【００９８】
このとき、記録部２００は、通信主導権切換スイッチ２１６の状態を判断して主導側であることを認識する（ステップＳ１１）。
そして、記録部２００は、記録部操作キー２１４に設けられた図示していないスタンバイスイッチ等の操作による通信接続操作が行われるまで、通信開始操作待ち状態となる（ステップＳ１２）。
【００９９】
尚、ステップＳ２１でカメラ部１００が主導側であると判断され（図中の（ｃ）、ステップＳ１１で記録部２００が従属側であると判断され（図中の（ｄ））た場合については後述する。
【０１００】
記録部２００で通信接続操作が行われると、記録部２００は、接続開始命令をカメラ部１００に送信する（ステップＳ１３）。
【０１０１】
カメラ部１００は、記録部２００から送信されてきた信号が接続開始命令であるか否かを判断し（ステップＳ２３）、その判断の結果、接続開始命令であった場合に応答信号を記録部２００に送信し（ステップＳ２４）、接続開始命令でなかった場合にはステップＳ２２の受信待機状態に戻る。
【０１０２】
記録部２００は、カメラ部１００から送信されてきた応答信号を受信し（ステップＳ１４）、映像信号、音声信号及び状態信号等の受信状態となる。
【０１０３】
カメラ部１００は、ステップＳ２４で応答信号を送信した後、撮影して得られた映像信号、音声信号及びカメラ部１００の状態信号等を記録部２００に送信する（ステップＳ２５）。
【０１０４】
記録部２００は、カメラ部１００から送信されてきた映像信号、音声信号及び状態信号等を受信し（ステップＳ１５）、記録部操作キー２１４の操作情報等に従って、カメラ部１００の撮影条件及び動作等を制御するための各種の命令信号をカメラ部１００に送信する（ステップＳ１６）。
【０１０５】
カメラ部１００は、記録部２００からの命令信号を受信し（ステップＳ２６）、受信した命令信号が切断命令信号であるか否かを判断する（ステップＳ２７）。
そして、カメラ部１００は、ステップＳ２７の判断の結果、切断命令信号以外の命令信号であった場合には、ステップＳ２５の処理に戻り、その命令信号に従って、映像信号、音声信号及び状態信号の送信処理等の処理を行って、ステップＳ２５以降の処理を続行する。
【０１０６】
また、記録部２００は、ステップＳ１６の命令信号送信処理の後、記録部操作キー２１４で通信切断の操作が行われたか否かを判断する（ステップＳ１７）。
その判断の結果、通信切断の操作が行われていない場合、記録部２００は、ステップＳ１５の受信処理に戻り、カメラ部１００から送信されてきた映像信号、音声信号及び状態信号等を受信し、ステップＳ１５以降の処理を続行する。
【０１０７】
上述のような記録部２００のステップＳ１５〜Ｓ１７、カメラ部１００のステップＳ２５〜Ｓ２７の各処理は、記録部２００において、記録部操作キー２１４で通信切断の操作が行われるまで繰り返し行われる。
【０１０８】
そこで、記録部操作キー２１４で通信切断の操作が行われると、記録部２００は、ステップＳ１７で通信切断の操作が行われたことを認識し、切断命令信号をカメラ部１００に送信する（ステップＳ１８）。
【０１０９】
カメラ部１００は、ステップＳ２６で記録部２００からの切断命令信号を受信し、次のステップＳ２７で受信した命令信号が切断命令信号であると認識し、応答信号を記録部２００に送信する（ステップＳ２８）。
【０１１０】
そして、記録部２００は、カメラ部１００から送信されてきた応答信号を受信する（ステップＳ１９）。
これにより、カメラ部１００と記録部２００の一連の動作は終了となり、カメラ部１００は、ステップＳ２２に戻り受信待機状態となり、記録部２００は、ステップＳ１２に戻り通信開始操作待ち状態となる。
【０１１１】
つぎに、カメラ部１００が主導側の場合について説明する。
【０１１２】
この場合には、上記図３に示すように、先ず、カメラ部１００と記録部２００双方の電源が投入され（ステップＳ３０，Ｓ４０）、カメラ部１００の通信主導権切換スイッチ１１３、及び記録部２００の通信主導権切換スイッチ２１６により、記録部２００が従属側、カメラ部１００が主導側に設定される。
【０１１３】
このとき、記録部２００は、通信主導権切換スイッチ２１６の状態を判断して従属側であることを認識し（ステップＳ４１）、受信待機状態となり、カメラ部１００から送信されてくる信号を待ち受ける（ステップＳ４２）。
【０１１４】
カメラ部１００は、通信主導権切換スイッチ１１３の状態を判断して主導側であることを認識する（ステップＳ３１）。
そして、カメラ部１００は、カメラ部操作キー１１２に設けられた図示していないスタンバイスイッチ等の操作による通信接続操作が行われるまで、通信開始操作待ち状態となる（ステップＳ３２）。
【０１１５】
尚、ステップＳ３１でカメラ部１００が従属側であると判断され（図中の（ａ）、ステップＳ４１で記録部２００が主導側であると判断され（図中の（ｂ））た場合には、上記図２の矢印（ａ）及び（ｂ）に示すように、カメラ部１００は、上述したステップＳ２２〜Ｓ２８の各処理を行い、記録部２００は、上述したステップＳ１２〜Ｓ１９の各処理を行う。
また、上記図２において、上述したステップＳ２１でカメラ部１００が主導側であると判断され（図中の（ｃ））、ステップＳ１１で記録部２００が従属側であると判断され（図中の（ｄ））た場合は、上記図３の矢印（ｃ）及び（ｄ）に示すように、カメラ部１００は、ステップＳ３２の処理を行い、記録部２００は、ステップＳ４２の処理を行い、以下に説明する各ステップの処理を順次行う。
【０１１６】
カメラ部１００で通信接続操作が行われると、カメラ部１００は、接続開始命令を記録部２００に送信する（ステップＳ３３）。
【０１１７】
記録部２００は、カメラ部１００から送信されてきた信号が接続開始命令であるか否かを判断し（ステップＳ４３）、その判断の結果、接続開始命令であった場合に応答信号をカメラ部１００に送信し（ステップＳ４４）、接続開始命令でなかった場合にはステップＳ４２の受信待機状態に戻る。
【０１１８】
カメラ部１００は、記録部２００から送信されてきた応答信号を受信し（ステップＳ３４）、撮影して得られた映像信号及び音声信号等と共に命令信号を記録部２００に送信して（ステップＳ３５）、記録部２００からの状態信号受信状態となる。
【０１１９】
記録部２００は、カメラ部１００から送信されてきた映像信号、音声信号及び命令信号等を受信し（ステップＳ４５）、受信した命令信号に従って、受信した映像信号及び音声信号を記録媒体２１０に記録し、バッテリ残容量や残記録容量等の状態を示す状態信号をカメラ部１００に送信する（ステップＳ４６）。
また、記録部２００は、受信した命令信号が切断命令信号であるか否かを判断し（ステップＳ４７）、その判断の結果、切断命令信号以外の命令信号であった場合には、ステップＳ４５の処理に戻り、カメラ部１００からの映像信号、音声信号及び命令信号等の受信処理を行って、ステップＳ４５以降の処理を続行する。
【０１２０】
カメラ部１００は、記録部２００からの状態信号を受信し（ステップＳ３６）する。
そして、カメラ部１００は、カメラ部操作キー１１２で通信切断の操作が行われたか否かを判断する（ステップＳ３７）。
その判断の結果、通信切断の操作が行われていない場合、カメラ部１００は、ステップＳ３５の送信処理に戻り、撮影して得られた映像信号及び音声信号等と共に命令信号を記録部２００に送信し、ステップＳ３５以降の処理を続行する。
【０１２１】
上述のような記録部２００のステップＳ４５〜Ｓ４７、カメラ部１００のステップＳ３５〜Ｓ３７の各処理は、カメラ部１００において、カメラ部操作キー１１２で通信切断の操作が行われるまで繰り返し行われる。
【０１２２】
そこで、カメラ部操作キー１１２で通信切断の操作が行われると、カメラ部１００は、ステップＳ３７で通信切断の操作が行われたことを認識し、切断命令信号を記録部２００に送信する（ステップＳ３８）。
【０１２３】
記録部２００は、ステップＳ４５でカメラ部１００からの切断命令信号を受信し、ステップＳ４７で受信した命令信号が切断命令信号であると認識し、応答信号をカメラ部１００に送信する（ステップＳ４８）。
【０１２４】
そして、カメラ部１００は、記録部２００から送信されてきた応答信号を受信する（ステップＳ３９）。
これにより、カメラ部１００と記録部２００の一連の動作は終了となり、カメラ部１００は、ステップＳ３２に戻り通信開始操作待ち状態となり、記録部２００は、ステップＳ４２に戻り受信待機状態となる。
【０１２５】
つぎに、上記図２及び図３のフローチャートに従った通信動作の時間的様子について説明する。
【０１２６】
図４は、上記図１のビデオカメラ１０において、カメラ部１００の通信制御回路１０６と、記録部２００の通信制御回路２０３との信号のやり取りを、映像信号、音声信号、命令信号等、信号の種類に分けて時間軸上に並べたタイミングチャートを示したものである。
この図４では、縦縞で示す信号Ａは、記録部２００からカメラ部１００へ送信される信号を示し、斜線で示す信号Ｂは、カメラ部１００から記録部２００へ送信される信号を示す。
また、カメラ部１００から記録部２００へ送信される映像信号について、動画像である映像の一画面の周期、例えば、ＮＴＳＣ方式では１／６０秒を、「１Ｖ」として示す。
以下、上記図４を用いて、通信動作の時間的様子について説明する。
【０１２７】
尚、以下の説明では、説明の簡単のために、例えば、記録部２００を主導側に設定し、カメラ部１００の撮影操作を記録部２００から行うものとする。
【０１２８】
先ず最初の１Ｖで、主導側である記録部２００から従属側であるカメラ部１００に接続開始命令信号Ａ１が送信されると、この信号を受信したカメラ部１００から記録部２００に応答信号Ｂ１が返される。
【０１２９】
そして、次の１Ｖ（１画面）で、カメラ部１００から記録部２００に送信される映像信号Ｂ２、音声信号Ｂ３及び状態信号Ｂ４と、記録部２００からカメラ部１００に送信される命令信号Ａ２とが一組となって、１Ｖ内にカメラ部１００側及び記録部２００側で、送受信が切り換えられる。
【０１３０】
すなわち、１Ｖ内で、先ず、カメラ部１００から記録部２００に映像信号Ｂ２、音声信号Ｂ３及び状態信号Ｂ４が送信され、その後、記録部２００からカメラ部１００に命令信号Ａ２が送信され、次の１Ｖ内でも同様にして、カメラ部１００から記録部２００に映像信号Ｂ２、音声信号Ｂ３及び状態信号Ｂ４が送信され、その後、記録部２００からカメラ部１００に命令信号Ａ２が送信される。
【０１３１】
このような１Ｖ内の送受信の切り換え動作が、幾Ｖも連続して繰り返し行われることにより、複数画面からなる動画像がカメラ部１００から記録部２００に伝送されることとなる。
【０１３２】
上述のようにして、カメラ部１００から記録部２００へ動画像が伝送された後、主導側である記録部２００で通信切断操作が行われると、最後の１Ｖにおいて、記録部１００からカメラ部２００に送信される命令信号Ａ３が通信切断命令を示すものとなり、この命令信号Ａ３（＝通信切断命令）を受信したカメラ部１００から記録部２００には、命令信号Ａ３に対する応答信号Ｂ５が送信される。
これにより、カメラ部１００と記録部２００は、双方とも通信動作を終了することとなる。
【０１３３】
上述のようにして、カメラ部１００と記録部２００は各々、１Ｖを単位として、送信信号と受信信号が時間的にぶつかることのないように、瞬時に送受信を切り換えながら通信を行うようになされている。
【０１３４】
上述のように、このビデオカメラ１０は、カメラ部１００と記録部２００間の通信制御の主導権を持つ側を、カメラ部１００と記録部２００の両方に切り換え可能とするように構成したことにより、カメラ部１００の撮影操作を記録部２００から行うことができると共に、カメラ部１００でも撮影操作を行うことができる。これにより、使用者がカメラ部１００を持って撮影を行う場合でも、使用者は、カメラ部１００のみを持って、撮影開始や停止、撮影条件等、使用者の意図する撮影を行うための操作を容易に行うことができる。
また、記録部２００でカメラ部１００の状態を画面表示すると共に、カメラ部１００でも記録部２００の状態を画面表示するように構成したことにより、記録部２００側からカメラ部１００の状態を容易に把握することができると共に、カメラ部１００側から記録部２００側の状態も容易に把握することができる。これにより、記録部２００のバッテリ切れ等によって、使用者の予期せぬうちに撮影不能となるということ等を防ぐことができるため、使用者は安心して撮影を行うことができる。
【０１３５】
したがって、このビデオカメラ１０は、操作性を向上させることができ、装置の性能も向上させることができる。
【０１３６】
つぎに、第２の実施の形態について説明する。
【０１３７】
本発明に係る通信制御システムは、例えば、図５に示すようなビデオカメラ２０に適用される。
また、このビデオカメラ２０は、本発明に係る撮像装置を適用したものである。
【０１３８】
すなわち、ビデオカメラ２０は、上記図５に示すように、上記図１のビデオカメラ１０に対して、カメラ部１００にＤ／Ａ変換回路１１４とスピーカ１１５を加え、記録部２００にマイク２１７とＡ／Ｄ変換回路２１８を加えた構成としている。
【０１３９】
尚、上記図５のビデオカメラ２０において、上記図１のビデオカメラ１０と同様に動作する箇所には同じ符号を付し、その詳細な説明は省略する。
また、カメラ部１００を記録部２００に対して遠隔地に設置し、カメラ部１００の撮影操作を記録部２００側から行う場合の動作については、上述した第１の実施の形態と同様であるため、その詳細な説明は省略し、ここでは、使用者がカメラ部１００を持って撮影する場合、すなわちカメラ部１００が主導側の場合についてのみ説明する。
【０１４０】
先ず、カメラ部１００の通信主導権切換スイッチ１１３、及び記録部２００の通信主導権切換スイッチ２１６のスイッチ操作により、カメラ部１００が主導側、記録部２００が従属側となるように設定する。
【０１４１】
そして、上述した第１の実施の形態と同様にして、カメラ部１００と記録部２００間の通信が開始され、カメラ部１００で撮影して得られた映像信号や音声信号等が記録部２００に送信され、カメラ部１００側からの操作に従って、記録部２００の録画開始や停止等の動作が制御される。
【０１４２】
ここで、このビデオカメラ２０は、記録部２００からカメラ部１００に送信される状態信号を、例えば、音声信号とし、カメラ部１００で記録部２００の音声モニタを行うようになされている。
【０１４３】
すなわち、上述した第１の実施の形態では、記録部２００からカメラ部１００に状態信号としてバッテリ残容量情報や記録残容量情報等を送信することとしたが、このバッテリ残容量情報や記録残容量情報等の代わりに、記録部２００に入力された音声を状態信号として送信する。
【０１４４】
そこで、先ず、記録部２００において、マイク２１７には、記録部２００の周辺の音や、記録部２００側の使用者の音声、例えば、カメラ部１００側の使用者に操作指示するための音声等が入力される。
【０１４５】
マイク２１７に入力された音声は、電気信号としてＡ／Ｄ変換回路２１８に供給され、Ａ／Ｄ変換回路２１８でディジタル化されて通信制御回路２０３に供給される。
【０１４６】
通信制御回路２０３は、Ａ／Ｄ変換回路２１８からの音声信号を状態信号として、無線送受信回路２０２に供給すると共に、カメラ部１００から送信されてくる信号と時間的にぶつかって損失することのないように、所定の処理方式に従って時間的送信順序を定めて、記録部２００における送受信信号の制御を行う。
【０１４７】
無線送受信回路２０２は、通信制御回路２０３からの状態情報を電波に変換してアンテナ２０１から空間に放射する。
【０１４８】
そして、カメラ部１００において、記録部２００から送信されてきた電波は、アンテナ１０８で受信され、無線送受信回路１０７を介して通信制御回路１０６に供給される。
【０１４９】
通信制御回路１０６は、無線送受信回路１０７からの受信信号に含まれる状態信号を音声信号として分離し、その音声信号をＤ／Ａ変換回路１１４に供給する。
【０１５０】
Ｄ／Ａ変換回路１１４は、通信制御回路１０６からの音声信号をアナログ化してスピーカ１１５から出力する。
【０１５１】
したがって、スピーカ１１５からは、記録部２００の周辺の音や、記録部２００側に居る他の使用者の声等が出力され、カメラ部１００を持った使用者に伝わることとなる。
【０１５２】
上述のようなビデオカメラ２０の通信動作を上記図４を用いて説明すると、この場合には、カメラ部１００から記録部２００へ送信される状態信号Ｂ４が、カメラ部１００から記録部２００へ送信される命令信号となり、記録部２００からカメラ部１００へ送信される命令信号Ａ２が、記録部２００からカメラ部１００へ送信される状態信号となる。
そして、上記記録部２００からカメラ部１００へ送信される状態信号に、記録部２００に入力された音声が含まれることとなる。
このように、状況に応じて信号の種類を切り換えることにより、上記図４に示すような、記録部２００からカメラ部１００に送信される信号に与えられた期間を、その状況に応じて有効に使用することができ、効率良く通信することができる。
【０１５３】
上述のように、このビデオカメラ２０は、記録部２００側の他の使用者からの音声による指示の確認や、記録部２００側の周辺の音声によるモニタを、カメラ部１００側から可能にするように構成したことにより、上述した第１の実施の形態で得られる効果に加えて、例えば、使用者がカメラ部１００を持って撮影を行う場合、使用者はスピーカ１１５から発せられる音声を聴くだけで、記録部２００側の状態をさらに容易に把握することができ、また、記録部２００側に居る他の使用者の指示に従って撮影を行うこともできる。
したがって、このビデオカメラ２０は、操作性をさらに向上させることができ、装置の性能もさらに向上させることができる。
【０１５４】
尚、上述した第２の実施の形態において、記録部２００からカメラ部１００に送信される状態信号を、記録部２００に入力された音声信号と共に、記録部２００のバッテリ残容量情報や残記録容量情報等も含めたものとしてもよい。
これにより、カメラ部１００側の使用者は、表示器１１１の画面からでも記録部２００の状態を容易に把握することができ、スピーカ１１５から出力される音声からでも記録部２００の状態を容易に把握することができる。
【０１５５】
また、例えば、記録部２００に設けたマイク２１７をカメラ部１００に設け、カメラ部１００に設けたスピーカ１１５を記録部２００に設けるようにしてもよい。
これにより、記録部２００側の使用者も、スピーカから出力されるカメラ部１００側の音声により、カメラ部１００側の状態を容易に把握することができる。例えば、記録部２００が主導側の場合、カメラ部１００側の使用者の指示に従って記録操作を行うこともできる。
【０１５６】
【発明の効果】
以上説明したように本発明によれば、操作性及び装置性能を向上させた撮像装置を提供することができる。
【図面の簡単な説明】
【図１】第１の実施の形態において、本発明に係る通信制御システムを適用したビデオカメラの構成を示すブロック図である。
【図２】上記ビデオカメラにおいて、記録部側が主導側である場合の動作を説明するためのフローチャートである。
【図３】上記ビデオカメラにおいて、カメラ側が主導側である場合の動作を説明するためのフローチャートである。
【図４】上記ビデオカメラの通信動作を説明するための図である。
【図５】第２の実施の形態において、本発明に係る通信制御システムを適用したビデオカメラの構成を示すブロック図である。
【図６】従来のビデオカメラの構成を示すブロック図である。
【符号の説明】
１０    ビデオカメラ
１００  カメラ部
１０１  レンズ
１０２  撮像素子
１０３  ＣＤＳ／ＡＧＣ回路
１０４  Ａ／Ｄ変換回路
１０５  カメラ信号処理回路
１０６  通信制御回路
１０７  無線送受信回路
１０８  アンテナ
１０９  マイコン
１１０  レンズ制御回路
１１１  表示器
１１２  カメラ部操作キー
１１３  通信主導権切換スイッチ
２００  記録部
２０１  アンテナ
２０２  無線送受信回路
２０３  通信制御回路
２０４  Ｄ／Ａ変換回路
２０５  表示器
２０６  ミックス回路
２０７  モニタ
２０８  レコーダ信号処理回路
２０９  電磁変換回路
２１０  記録媒体
２１１  ＶＴＲメカマイコン
２１２  ＶＴＲメカ
２１３  マイコン
２１４  記録部操作キー
２１５  記録部バッテリ
２１６  通信主導権切換スイッチ
【図１】
0003754776.tif 000002
【図２】
0003754776.tif 000003
【図３】
0003754776.tif 000004
【図４】
0003754776.tif 000005
【図５】
0003754776.tif 000006
【図６】
0003754776.tif 000007